(57)【要約】【課題】事前準備が不要で、居ながらにしてインターネット上で購入や有料サービスの決済ができるようにすること。小額が決済できること。支払いの簡便を図ること。メールアドレスを介してパスワードを安全に渡す。メールアドレスを安全か分別する。事業者、販売者の未回収のリスクを減らす。【解決手段】電子メールアドレスを介してＩＤとパスワードを設定し、電子メールアドレスがあれば後払い方式、又は後払い前払い方式の選択により購入や、有料サービスの決済ができるようにする。電子メールを介して本人確認する。支払いを期間でまとめて行い支払いやすい様にする。パスワードを安全に届けるためＷＥＢサービスを介して行う。ドメインイより利用者を分別する。【選択図】　　　　図２
2004126913.tif 000002
【特許請求の範囲】
【請求項１】
下記のａ乃至ｄのステップから成る電子メール決済システム
ａ．利用者の要求により端末機は決裁者のサーバに通信回線を介して接続し、利用者のメールアドレスを提示してＩＤとパスワードの設定を要求し、決裁者のサーバは上記メールアドレスを介して上記利用者との間でＩＤとパスワードを設定しメールアドレスと共にその記憶部に保存するステップ。
ｂ．上記利用者の要求の都度、端末機は決済者のサーバに通信回線を介して接続し上記設定したＩＤ、パスワード及び金額と支払い先を提示し後払い決済の利用を要求するステップ。
ｃ．決裁者のサーバは上記ｂの都度、上記ＩＤ、上記金額及び上記支払い先を支払データとしてその記憶部に保存するステップ。
ｄ．決裁者のサーバは一定期間の上記支払データの金額をＩＤ毎に合算し、該メールアドレスを介して該利用者の端末機に通知して各利用者に決済を要求するステップ。
【請求項２】
下記のａ乃至ｅのステップから成る電子メール決済システム
ａ．利用者の要求により端末機は決裁者のサーバに通信回線を介して接続し利用者のメールアドレスを提示してＩＤとパスワードの設定を要求し、決裁者のサーバは上記メールアドレスを介して上記利用者との間でＩＤとパスワードを設定しメールアドレスと共にその記憶部に保存するステップ。
ｂ．利用者は上記設定したＩＤを提示して前払いの指定で決裁者に支払いをし、決裁者のサーバは該ＩＤの前払残高にその支払い額を加算して記憶部に保存する。
ｃ．上記利用者の要求の都度、利用者の端末機は決済者のサーバに通信回線を介して接続し上記ＩＤ、パスワード及び金額と支払い先を提示し前払い又は後払いの決済の利用を要求するステップ。
ｄ．上記ｃが前払いの場合に決裁者のサーバは上記ＩＤの上記決済後の前払い残高を計算し残高がある場合は前払い決済の利用を許可し前払い残高を更新するステップ。
ｅ．決裁者のサーバは上記ｃの後払い及び上記ｄの許可された前払いについて、ＩＤと上記金額及び上記支払い先並びに後払い前払いの区分を支払データとしてその記憶部に保存するステップ。
ｆ．決裁者のサーバは一定期間の上記ｅにおける支払データの後払いの金額をＩＤ毎に合算し、上記該メールアドレスを介して上記該利用者に通知し各利用者の決済を要求するステップ。
【請求項３】
請求項１又は請求項２のａにおいて決裁者のサーバはＩＤとして、提示されたメールアドレスを使用しそのメールアドレスを介して利用者との間でパスワードを設定することにより上記利用者との間でＩＤとパスワードを設定することを特徴とする請求項１又は請求項２記載の電子メール決済システム。
【請求項４】
請求項１、請求項２のａ又は請求項３において決裁者のサーバはＩＤを決定しパスワードを発行して両者を上記メールアドレスへ電子メールで送信して上記利用者に通知せしめることにより、上記メールアドレスを介して上記利用者との間でＩＤとパスワードを設定することを特徴とする請求項１、請求項２又は請求項３記載の電子メール決済システム。
【請求項５】
請求項１、請求項２のａ又は請求項３において下記のａ乃至ｄのステップからなる、メールアドレスを介して利用者との間でＩＤとパスワードを設定することを特徴とする請求項１、請求項２又は請求項３記載の電子メール決済システム。
ａ．利用者の要求により端末機は決裁者のＷＷＷサーバに通信回線を介してアクセスし、利用者のメールアドレスを提示して、ＩＤとパスワードの設定を要求するステップ。
ｂ．上記サーバは上記アクセス時に上記利用者との間でアクセスパスワードを設定するステップ。
ｃ．決裁者の上記サーバはＩＤを決定しパスワードを発行して上記メールアドレスと共にその記憶部に保存し、そのＩＤとパスワードを表示するホームページのアドレスを上記メールアドレスに送信するステップ。
ｄ．決裁者の上記サーバは上記アクセスパスワードを提示した端末機からの要求により上記ホームページを上記端末機上に表示し上記ＩＤと上記パスワードを通知するステップ。
【請求項６】
請求項１又は請求項２において下記のａ乃至ｃのステップからなる、メールアドレスを介して利用者との間でＩＤとパスワードを設定し決裁者のサーバの記憶部に保存することを特徴とする請求項１又は請求項２記載の電子メール決済システム。
ａ．利用者の要求により端末機は決裁者のサーバに通信回線を介して接続し、利用者のメールアドレス、希望するパスワードを提示してＩＤとパスワードの設定を要求するステップ。
ｂ．決裁者のサーバは上記メールアドレスへ電子メールを送信し、その電子メールが上記要求した利用者の端末機に受信されたか否か確認するステップ。
ｃ．上記確認が取れた場合に決裁者のサーバは上記提示されたメールアドレスをＩＤとして上記パスワードとともにその記憶部に保存するステップ。
【請求項７】
請求項１又は請求項２において下記のａ乃至ｃのステップからなる、メールアドレスを介して利用者との間でＩＤとパスワードを設定し決裁者のサーバの記憶部に保存することを特徴とする請求項１又は請求項２記載の電子メール決済システム。
ａ．利用者の要求により端末機は決裁者のサーバに通信回線を介して接続し、その利用者のメールアドレスと利用者の希望するＩＤとパスワードを提示してＩＤとパスワードの設定を要求するステップ。
ｂ．決裁者のサーバは上記メールアドレスへ電子メールを送信し、その電子メールが上記要求した利用者の端末機に受信されたか否か確認するステップ。
ｃ．上記確認が取れた場合に決裁者のサーバは上記提示されたメールアドレス、ＩＤ及びパスワードをその記憶部に保存するステップ。
【請求項８】
請求項１、請求項２のａ又は請求項３において決裁者のサーバは提示されたメールアドレスのドメインが予め登録されたドメインのリストにあることを確認して、ＩＤとパスワードを設定してメールアドレスと共にその記憶部に保存することを特徴とする請求項１、請求項２又は請求項３記載の電子メール決済システム。
【発明の詳細な説明】
【０００１】
【発明の属する技術分野】
インターネット上の小額決済をメールアドレスを利用しておこなうインタネット利用技術に関するものである。
【０００２】
【従来の技術】
インターネットの決済の電子マネーの利用では最初に支払いを行うプリペイド方式が多く、多くは事前の準備が必要である。クレジットカードは小額決済できないし、持っていなければ使えない。
【０００３】
【発明が解決しようとする課題】
事前準備が不要で、居ながらにしてインターネット上の購入や、有料サービスの決済ができるようにすること。小額が決済できること。支払いの簡便を図ること。メールアドレスを介してパスワードを安全に渡す。メールアドレスを安全か分別する。事業者、販売者の未回収のリスクを減らす。
【０００４】
【課題を解決するための手段】
電子メールアドレスを介してＩＤとパスワードを設定し、電子メールアドレスがあれば後払い方式、又は後払い前払い方式の選択により購入や、有料サービスの決済ができるようにする。電子メールを介して行うことにより本人確認する。電子メールアドレスのドメインをチェックし身元が確かな有償のメールアドレスだけに後払いを許可する。
支払いを期間でまとめて行い支払いやすい様にする。
パスワードを安全に届けるために電子メールよりセキュリティの高いＷＥＢサービスを介して行う。
【０００５】
【発明の実施と形態】
以下の説明でＣＧＩ（ｃｏｍｍｏｎ　ｇａｔｅｗａｙ　ｉｎｔｅｒｆａｃｅ）は広義の意味でＷＷＷサーバにて動く、閲覧データを返すプログラム（ＳＳＩ　ｓｅｒｖｅｒ　ｓｉｄｅ　ｉｎｃｌｕｄｅ）の総称でサブレットその他を含む意味で使用する。
【０００６】
図１を参照して電子メールを利用した後払い決済方法を説明する。
ａ１）利用者の要求により端末機（Ａ）は決裁者のサーバ（Ｚ）に通信回線を介して接続し利用者のメールアドレス（Ｍ１）を提示してＩＤとパスワードの設定を要求し、ａ２）決裁者のサーバは上記提示されたメールアドレス（Ｍ２）を介して上記利用者との間でＩＤ（Ｂ１）とパスワード（Ｐ１）を設定し、ａ３）上記メールアドレス（Ｍ２）と共にその記憶部（Ｋ）に保存する。
【０００７】
提示されたメールアドレス（Ｍ２）を介した通信（Ｊ）で上記利用者との間でＩＤ（Ｂ１、Ｂ２）とパスワード（Ｐ１、Ｐ２）を設定するので上記メールアドレス（Ｍ２）が要求をしている利用者本人からのものか否かが確認でき、他人のメールアドレスを利用することが難しくなる。
利用者の端末機（Ａ）からのメールアドレス（Ｍ１）の提示及び設定要求は決裁者のサーバ（Ｚ）をＷＷＷサーバとし、そのサーバ（Ｚ）が端末機（Ａ）上に表示する入力項目の応答で上記データ及び上記要求を受信するのが容易である。
またその後のパスワードの設定は提示されたメールアドレス（Ｍ２）への電子メールを送信してその中で直接やり取りするか、電子メールでホームページのアドレスを送信し間接的に行うことで実現する。ＷＷＷサーバはセキュリティの高いＨＴＴＰＳプロトコルが普及しており、電子メールで直接行うより安全性が高い。
【０００８】
ｂ）上記利用者の要求の都度、端末機（Ａ）は決済者のサーバ（Ｚ）に通信回線を介して接続し上記設定したＩＤ（Ｂ２）、パスワード（Ｐ２）及び金額（Ｏ）と支払い先（Ｓ１）を提示し後払い決済の利用を要求する。
【０００９】
決裁者のサーバ（Ｚ）をＷＷＷサーバとし、そのサーバ（Ｚ）が端末機（Ａ）上に表示する入力項目の応答で上記データを受信するのが容易である。
【００１０】
ｃ１）決裁者のサーバ（Ｚ）は上記ｂの都度、提示されたＩＤ（Ｂ３）、金額（Ｏ）及び支払い先（Ｓ１）を請求データ（Ｅ１）としてその記憶領域（Ｋ）に保存する。
【００１１】
ｃ２）上記保存に先立ち決裁者のサーバ（Ｚ）は上記利用者からの要求であるか確認するため、提示されたＩＤ（Ｂ３）のパスワード（Ｐ３）が上記ａで設定した該ＩＤ（Ｂ１）のパスワード（Ｐ１）であることを確認する。
【００１２】
ｄ１）決裁者のサーバは（Ｚ）一定期間の上記請求データ（Ｅ１）の金額（Ｃ）をＩＤ（Ｂ３）毎に合算し、ｄ２）該メールアドレス（Ｍ）を介して該利用者の端末機（Ａ）に通知して各利用者に決済を要求する。
【００１３】
支払データ（Ｅ１）の金額（Ｃ）は該メールアドレス（Ｍ３）への電子メールで直接送信してもよいし、支払データ（Ｅ１）の金額（Ｃ）を表示するホームページへのリンクを該メールアドレス（Ｍ３）への電子メールで送信し、該利用者がそのホームページを閲覧することで実現してもよい。
【００１４】
図２を参照して電子メールを利用した前払い及び後払い決済方法を説明する。
ａ）利用者の要求により端末機（Ａ）は決裁者のサーバ（Ｚ）に通信回線を介して接続し、利用者のメールアドレス（Ｍ１）を提示してＩＤとパスワードの設定を要求し、決裁者のサーバは上記提示されたメールアドレス（Ｍ２）を介して上記利用者との間でＩＤ（Ｂ１）とパスワード（Ｐ１）を設定し上記メールアドレス（Ｍ２）と共にその記憶部に保存する。
【００１５】
メールアドレス（Ｍ２）を介した通信（Ｊ）で上記利用者との間でＩＤ（Ｂ１、Ｂ２）とパスワード（Ｐ１、Ｐ２）を設定するので、提示されたメールアドレス（Ｍ２）が要求をしている利用者本人からのものか否かが確認でき、他人のメールアドレスを利用することが難しくなる。
利用者の端末機（Ａ）からのメールアドレス（Ｍ１）の提示及び設定要求は決裁者のサーバ（Ｚ）をＷＷＷサーバとし、そのサーバ（Ｚ）が端末機（Ａ）上に表示する入力項目の応答で上記データ及び上記要求を受信するのが容易である。
またその後のパスワードの設定は提示されたメールアドレス（Ｍ２）への電子メールを送信してその中で直接やり取りするか、電子メールでホームページのアドレスを送信し間接的に行うことで実現する。ＷＷＷサーバはセキュリティの高いＨＴＴＰＳプロトコルが普及しており、電子メールで直接行うより安全性が高い。
【００１６】
ｂ）利用者は上記設定したＩＤ（Ｂ２）を提示して前払いの指定で決裁者に支払いをし、決裁者のサーバ（Ｚ）は提示されたＩＤ（Ｂ３）の該前払残高（Ｇ）にその支払い額を加算して記憶領部（Ｋ）に保存する。
【００１７】
支払いは、銀行振込、コンビニ払い、クレジット決済、プリペイドカードなど、ＩＤ（Ｂ２）を提示して行えればオンラインであれオフラインであれどんな形でも構わない。決裁者のサーバ（Ｚ）は支払いを管理する機関から入金の通知を受けることになる。
【００１８】
ｃ１）上記利用者の要求の都度、利用者の端末機（Ａ）は決済者のサーバ（Ｚ）に通信回線を介して接続し上記ＩＤ（Ｂ２）、パスワード（Ｐ２）及び金額（Ｏ）と支払い先（Ｓ１）を提示し前払い又は、ｃ２）後払いの決済の利用を要求する。
【００１９】
ｄ）上記ｃが前払いの場合に決裁者のサーバ（Ｚ）は提示されたＩＤ（Ｂ３）の上記決済後の前払い残高（Ｇ）を計算し残高がある場合は前払い決済の利用を許可し前払い残高（Ｇ）を更新する。
【００２０】
ｅ）決裁者のサーバ（Ｚ）は上記ｃの後払い及び上記ｄの許可された前払いについて、ＩＤ（Ｂ３）と上記金額（Ｏ）及び上記支払い先（Ｓ１）並びに後払い前払いの区分（Ｑ）を支払データ（Ｅ１）としてその記憶部（Ｋ）に保存する。
【００２１】
上記段落（００１８）から段落（００２０）までは決裁者のサーバ（Ｚ）をＷＷＷサーバとし、そのサーバ（Ｚ）が端末機（Ａ）上に表示する入力項目の応答で上記データを受信し上記サーバ（Ｚ）のＣＧＩで処理するのが容易である。
【００２２】
ｆ１）決裁者のサーバ（Ｚ）は一定期間の上記ｅにおける支払データ（Ｅ１）の後払いの金額をＩＤ（Ｂ３）毎に合算し、ｆ２）保存された該メールアドレス（Ｍ３）を介して上記該利用者に通知し各利用者の決済を要求する。
【００２３】
上記通知は保存されたメールアドレス（Ｍ３）への電子メールを送信してその中で直接通知するか、電子メールでホームページのアドレスを送信し間接的に行うことで実現する。ＷＷＷサーバはセキュリティの高いＨＴＴＰＳプロトコルが普及しており、電子メールで直接通知するより安全性が高い。
【００２４】
図３を参照してＩＤとして、提示されたメールアドレスを使用する方法を説明する。
決裁者のサーバ（Ｚ）はＩＤとして、提示されたメールアドレス（Ｍ２）を使用しそのメールアドレス（Ｍ２）を介した通信（Ｊ）を通して、利用者との間でパスワード（Ｐ１）を設定することにより上記利用者との間でＩＤ（Ｂ１）とパスワード（Ｐ１）を設定する。
【００２５】
メールアドレスはユニークであるのでＩＤとして使うことにより、利用者はＩＤを別途覚える必要がない。
【００２６】
図４を参照してＩＤとパスワードをメールアドレスへ送信して設定する方法を説明する。
ａ１）利用者の要求により端末機（Ａ）は決裁者のサーバ（Ｚ）に通信回線を介して接続し利用者のメールアドレス（Ｍ１）を提示してＩＤ（Ｂ１）とパスワード（Ｐ１）の設定を要求し、ａ２）決裁者のサーバ（Ｚ）はＩＤ（Ｂ１）を決定し、ａ３）パスワード（Ｐ１）を発行して、ａ４）両者を上記提示されたメールアドレス（Ｍ２）へ電子メール（Ｊ）で送信して上記利用者に通知せしめることにより、上記メールアドレス（Ｍ２）を介して上記利用者との間でＩＤ（Ｂ１）とパスワード（Ｐ１）を設定し、ａ５）メールアドレス（Ｍ２）と共にその記憶部（Ｋ）に保存する。
【００２７】
図５を参照してＩＤとパスワードを設定してホームページ上で通知する方法を説明する。
ａ）利用者の要求により端末機（Ａ）は決裁者のＷＷＷサーバ（Ｚ）に通信回線を介してアクセスし、利用者のメールアドレス（Ｍ１）を提示して、ＩＤ（Ｂ１）とパスワード（Ｐ１）の設定を要求する。
【００２８】
ｂ）上記サーバ（Ｚ）は上記アクセス時にアクセスパスワード（Ｓ１）もあわせて提示し、上記サーバ（Ｚ）が承認してアクセスパスワード（Ｓ１）を設定するか、上記サーバ（Ｚ）がアクセスパスワード（Ｓ１）を発行して上記アクセスの応答で利用者に通知して、上記利用者との間でアクセスパスワード（Ｓ１）を設定する。
【００２９】
ｃ１）決裁者の上記サーバ（Ｚ）はＩＤ（Ｂ１）を提示されたメールアドレス（Ｍ２）とするか、発行することにより決定し、ｃ２）パスワード（Ｐ１）を発行して、ｃ３）上記メールアドレス（Ｍ２）と共にその記憶部（Ｋ）に保存し、ｃ４）そのＩＤ（Ｂ１）とパスワード（Ｐ１）を表示するホームページ（Ｈ１）のアドレス（Ｌ）を上記メールアドレス（Ｍ２）に送信する。
【００３０】
ｄ１）決裁者の上記サーバ（Ｚ）は上記アクセスパスワード（Ｓ１）を提示した端末機（Ａ）からの要求により、ｄ２）上記ホームページ（Ｈ）を上記端末機（Ａ）上に表示し、上記ＩＤ（Ｂ１）と上記パスワード（Ｐ１）を通知する。
【００３１】
ホームページのアドレス（Ｌ）はそのアドレスを知らされた利用者にしか分からないから、該利用者以外のものが上記ＩＤ（Ｂ１）とパスワード（Ｐ１）を知ることは出来ない。さらにアクセスパスワード（Ｓ２）も該利用者しか知りえようが無いので安全である。プロトコルに安全性が高いＨＴＴＰＳを利用すれば通信中に盗聴することも難しくなる。
【００３２】
図６を参照してパスワードを提示してＩＤとパスワード設定する方法を説明する。
ａ）利用者の要求により端末機（Ａ）は決裁者のサーバ（Ｚ）に通信回線を介して接続し、利用者のメールアドレス（Ｍ１）、希望するパスワード（Ｐ１）を提示してＩＤ（Ｂ１）とパスワード（Ｐ２）の設定を要求する。
【００３３】
利用者の端末機（Ａ）からのメールアドレス（Ｍ１）の提示及び設定要求は決裁者のサーバ（Ｚ）をＷＷＷサーバとし、そのサーバ（Ｚ）が端末機（Ａ）上に表示する入力項目の応答で上記データ及び上記要求を受信するのが容易である。
【００３４】
ｂ１）決裁者のサーバ（Ｚ）は上記提示されたメールアドレス（Ｍ２）へ電子メール（Ｎ）を送信して決裁者のホームページ（Ｈ）のアドレス（Ｌ）を通知し、ｂ２）上記要求者は端末機（Ａ）上にそのホームページ（Ｈ）を表示し、ｂ３）上記サーバはそのホームページ（Ｈ）上で入力されたパスワード（Ｐ３）を上記提示されたパスワード（Ｐ２）と比較し、その電子メール（Ｎ）が上記要求した利用者の端末機（Ａ）に受信されたか否か確認する。
【００３５】
決裁者のサーバ（Ｚ）をＷＷＷサーバとし、そのサーバ（Ｚ）が端末機（Ａ）上に表示する入力項目の応答で上記データ及び上記要求を受信するのが容易である。確認の電子メールを返信させる場合は決裁者のサーバ（Ｚ）をメールサーバとして処理するのが容易である。
【００３６】
パスワード（Ｐ１）を再入力させずに、要求した利用者に送信した電子メールの返信で確認するか、電子メールでアドレスを送信した決裁者の確認のホームページ上で確認ボタンをクリックさせることでも実現は容易である。電子メールで確認する場合には送信する電子メールに暗証などを入れ、その暗証を返信に含めさせて送信した電子メールの返信であることが分かるようにする。
【００３７】
ｃ）上記確認が取れた場合に決裁者のサーバ（Ｚ）は上記提示されたメールアドレス（Ｍ２）をＩＤ（Ｂ１）として上記パスワード（Ｐ２）とともにその記憶部（Ｋ）に保存する。
【００３８】
上記ｂの確認をホームページ上で行う場合は、その確認をも含めて一連のＣＧＩで保存まで行う。電子メールの返信で行う場合は電子メールを監視し、保存処理を行う。
【００３９】
図７を参照してＩＤとパスワードを提示してＩＤとパスワード設定する方法を説明する。
ａ）利用者の要求により端末機（Ａ）は決裁者のサーバ（Ｚ）に通信回線を介して接続し、その利用者のメールアドレス（Ｍ１）と利用者の希望するＩＤ（Ｂ１）とパスワード（Ｐ１）を提示してＩＤ（Ｂ２）とパスワード（Ｐ２）の設定を要求する。
【００４０】
利用者の端末機（Ａ）からのメールアドレス（Ｍ１）の提示及び設定要求は決裁者のサーバ（Ｚ）をＷＷＷサーバとし、そのサーバ（Ｚ）が端末機（Ａ）上に表示する入力項目の応答で上記データ及び上記要求を受信するのが容易である。
またここで提示されたＩＤのユニーク性も確認し、ユニークでない場合は受け付けられないことを利用者に通知するのがよい。
【００４１】
ｂ１）決裁者のサーバ（Ｚ）は上記提示されたメールアドレス（Ｍ２）へ電子メール（Ｎ）を送信して決裁者のホームページ（Ｈ）のアドレス（Ｌ）を通知し、ｂ２）上記要求者は端末機（Ａ）上にそのホームページ（Ｈ）を表示し、ｂ３）上記サーバはそのホームページ（Ｈ）上で入力されたＩＤ（Ｂ３）、パスワード（Ｐ３）を上記提示されたＩＤ（Ｂ２）、パスワード（Ｐ２）と比較し、その電子メール（Ｎ）が上記要求した利用者の端末機（Ａ）に受信されたか否か確認する。
【００４２】
決裁者のサーバ（Ｚ）をＷＷＷサーバとし、そのサーバ（Ｚ）が端末機（Ａ）上に表示する入力項目の応答で上記データ及び上記要求を受信するのが容易である。確認の電子メールを返信させる場合は決裁者のサーバ（Ｚ）をメールサーバとして処理するのが容易である。
【００４３】
ＩＤ（Ｂ３）、パスワード（Ｐ３）を再入力させずに、要求した利用者に送信した電子メールの返信で確認するか、電子メールでアドレスを送信した決裁者の確認のホームページ上で確認ボタンをクリックさせることでも実現は容易である。電子メールで確認する場合には送信する電子メールに暗証などを入れ、その暗証を返信に含めさせて送信した電子メールの返信であることが分かるようにする。
【００４４】
ｃ）上記確認が取れた場合に決裁者のサーバ（Ｚ）は上記提示されたメールアドレス（Ｍ２）、ＩＤ（Ｂ２）及びパスワード（Ｐ２）をその記憶部（Ｋ）に保存する。
【００４５】
上記ｂの確認をホームページ上で行う場合は、その確認をも含めて一連のＣＧＩで保存まで行う。電子メールの返信で行う場合は電子メールの返信をプログラムで監視し、そのプログラム内で保存処理を行う。
【００４６】
図８を参照してメールアドレスを調べてＩＤとパスワードを設定する方法を説明する。
ａ１）決裁者のサーバ（Ｚ）は提示されたメールアドレス（Ｍ）のドメインが予め登録されたドメインのリスト（Ｄ）にあることを確認して、ａ２）ＩＤ（Ｂ）とパスワード（Ｐ）を設定して、ａ３）メールアドレス（Ｍ）と共にその記憶部（Ｋ）に保存する。
【００４７】
電子メール決済システムはメールアドレス（Ｍ）を介して請求を行うので、メールアドレス（Ｍ）の信頼性は重要である。ブラックリストを用い排除することは通常行われているが、ブラックリストに載る前の利用者を分別するため、許可するメールアドレスのドメインを予め登録しておき排除する手法を採る。
【００４８】
利用者の端末機（Ａ）からのメールアドレス（Ｍ１）の提示及び設定要求は決裁者のサーバ（Ｚ）をＷＷＷサーバとし、そのサーバ（Ｚ）が端末機（Ａ）上に表示する入力項目の応答で上記データ及び上記要求を受信するのが容易である。
受信した要求をＣＧＩでうけその中でドメインの確認を行う。
【図面の簡単な説明】
【図１】電子メールを利用した後払い決済方法
【図２】電子メールを利用した前払い及び後払い決済方法
【図３】ＩＤとして提示されたメールアドレスを使用する方法
【図４】ＩＤとパスワードをメールアドレスへ送信して設定する方法
【図５】ＩＤとパスワードを設定してホームページ上で通知する方法
【図６】パスワードを提示してＩＤとパスワード設定する方法
【図７】ＩＤ、パスワードを提示してＩＤとパスワード設定する方法
【図８】メールアドレスを調べてＩＤとパスワードを設定する方法
【符号の説明】
（図１）
Ａ．利用者の端末機；　Ｂ１．サーバにある設定したＩＤ；　Ｂ２．端末機にある設定したＩＤ；　Ｂ３．決済要求時のＩＤ；　Ｃ．請求データの金額；　Ｅ１．支払データ；　Ｊ．メールアドレスを介した通信；　Ｋ．記憶部；　Ｍ１．利用者のメールアドレス；　Ｍ２．提示されたメールアドレス；　Ｍ３．保存されたメールアドレス；　Ｏ．金額；　Ｐ１．サーバにある設定したパスワード；　Ｐ２．端末機にある設定したパスワード；　Ｐ３．決済時のパスワード；　Ｓ１．支払先；　Ｚ．決裁者のサーバ
（図２）
Ａ．利用者の端末機；　Ｂ１．サーバにある設定したＩＤ；　Ｂ２．端末機にある設定したＩＤ；　Ｂ３．決済要求時のＩＤ；　Ｃ．請求データの金額；　Ｅ１．支払データ；　Ｇ．前払い残高；　Ｊ．メールアドレスを介した通信；　Ｋ．記憶部；　Ｍ１．利用者のメールアドレス；　Ｍ２．提示されたメールアドレス；　Ｍ３．保存されたメールアドレス；　Ｏ．金額；　Ｐ１．サーバにある設定したパスワード；　Ｐ２．端末機にある設定したパスワード；　Ｐ３．決済時のパスワード；　Ｑ．後払い前払い区分；　Ｒ．利用者；　Ｓ１．支払先；　Ｚ．決裁者のサーバ；
（図３）
Ａ．利用者の端末機；　Ｂ１．サーバにある設定したＩＤ（メールアドレス）；Ｊ．メールアドレスを介した通信；　Ｋ．記憶部；　Ｍ１．利用者のメールアドレス；　Ｍ２．提示されたメールアドレス；　Ｐ１．サーバにある設定したパスワード；　Ｐ２．端末機にある設定したパスワード；　Ｚ．決裁者のサーバ；（図４）
Ａ．利用者の端末機；　Ｂ１．サーバが決定したＩＤ；　Ｂ２．端末機に送信されたＩＤ；　Ｋ．記憶部；　Ｍ１．利用者のメールアドレス；　Ｍ２．提示されたメールアドレス；　Ｍ３．保存されたメールアドレス；　Ｎ．メールアドレスへの電子メール；　Ｐ１．サーバが発行したパスワード；　Ｐ２．端末機に送信されたパスワード；　Ｚ．決裁者のサーバ；
（図５）
Ａ．利用者の端末機；　Ｂ１．サーバが決定したＩＤ；　Ｂ２．端末機に表示されたＩＤ；　Ｈ．ＩＤ、パスワード表示のホームページ；　Ｋ．記憶部；　Ｌ．ホームページアドレス；　Ｍ１．利用者のメールアドレス；　Ｍ２．提示されたメールアドレス；　Ｍ３．保存されたメールアドレス；　Ｎ．メールアドレスへの電子メール；　Ｐ１．サーバが発行したパスワード；　Ｐ２．端末機に表示されたパスワード；　Ｓ１．アクセスパスワード（サーバ）；　Ｓ２．アクセスパスワード（端末機）；　Ｚ．決裁者のサーバ；
（図６）
Ａ．利用者の端末機；　Ｂ１．ＩＤ（メールアドレス）；　Ｈ．パスワード入力のホームページ；　Ｋ．記憶部；　Ｌ．ホームページアドレス；　Ｍ１．利用者のメールアドレス；　Ｍ２．提示されたメールアドレス；　Ｎ．メールアドレスへの電子メール；　Ｐ１．端末機が提示するパスワード；　Ｐ２．サーバに提示されたパスワード；　Ｐ３．サーバに保存されたパスワード；　Ｚ．決裁者のサーバ；
（図７）
Ａ．利用者の端末機；　Ｂ１．端末機が提示するＩＤ；　Ｂ２．提示されたＩＤ；　Ｂ３．入力されたＩＤ；　Ｂ４．保存されたＩＤ；　Ｈ．ＩＤ、パスワード入力のホームページ；　Ｋ．記憶部；　Ｌ．ホームページアドレス；　Ｍ１．利用者のメールアドレス；　Ｍ２．提示されたメールアドレス；　Ｍ４．保存されたメールアドレス；　Ｎ．メールアドレスへの電子メール；　Ｐ１．端末機が提示するパスワード；　Ｐ２．サーバに提示されたパスワード；　Ｐ３．入力されたパスワード；　Ｐ４．保存されたパスワード；　Ｚ．決裁者のサーバ；
（図８）
Ａ．利用者の端末機；　Ｂ１．ＩＤ；　Ｄ．ドメインリスト；　Ｋ．記憶部；　Ｍ．メールアドレス；　Ｐ．パスワード；　Ｚ．決裁者のサーバ；
【図１】
2004126913.tif 000003
【図２】
2004126913.tif 000004
【図３】
2004126913.tif 000005
【図４】
2004126913.tif 000006
【図５】
2004126913.tif 000007
【図６】
2004126913.tif 000008
【図７】
2004126913.tif 000009
【図８】
2004126913.tif 000010